(57)【要約】蛍光体組成物を発光素子上に堆積するシステム及び方法が、製造歩留まりを向上させ、従来のプロセスを簡易化し、コストを低減する。例えば、蛍光体組成物を発光素子上に分注する方法が、各種の蛍光体をそれぞれ分注する複数のカラー蛍光体ディスペンサを利用して、蛍光体組成物の一部分を発光素子上に分注することを含む。電力が発光素子に加えられて発光させ、発光素子が発する光の特徴が検出される。蛍光体の混合及び蛍光体の分注は、動的に制御される。したがって、ＬＥＤ上に分注される蛍光体の色特徴は一貫する。システム及び方法は、光の検出される特徴と光の所望の特徴との差を低減することもできる。【選択図】図１
2013512586.tif 000002
【特許請求の範囲】
【請求項１】
蛍光体組成物を発光素子上に分注する方法であって、
前記蛍光体組成物の一部分を前記発光素子上に分注することと、
前記発光素子が発した光の特徴を検出することと、
前記蛍光体組成物の各部分の相対量を調整することであって、前記光の前記検出された特徴と前記光の所望の特徴との差を低減する、調整することと、
を含む、蛍光体組成物を発光素子上に分注する方法。
【請求項２】
前記光の前記所望の特徴は、相関色温度（ＣＣＴ）又は色空間内の１組の座標のうちの少なくとも一方を含む、請求項１に記載の方法。
【請求項３】
前記光の前記所望の特徴は、前記ＣＣＴ及び前記色空間内の前記１組の座標を含む、請求項２に記載の方法。
【請求項４】
前記蛍光体組成物の前記各部分は、シリコーン中に懸濁した各色の蛍光体を含む、請求項１に記載の方法。
【請求項５】
前記蛍光体組成物を分注することは、複数のディスペンサのそれぞれ１つを利用して前記各色の蛍光体の各それぞれ１つを分注することを含む、請求項４に記載の方法。
【請求項６】
前記複数のディスペンサのそれぞれは、噴射ディスペンサを含む、請求項５に記載の方法。
【請求項７】
前記複数のディスペンサのそれぞれは、シリコーン中の各カラー蛍光体粉末の約３０重量％を超える懸濁液を分注するように適合される、請求項５に記載の方法。
【請求項８】
前記複数のディスペンサは、赤色蛍光体ディスペンサと、緑色蛍光体ディスペンサと、黄色蛍光体ディスペンサとを含む、請求項５に記載の方法。
【請求項９】
前記蛍光体組成物の前記各部分の相対量を調整することは、前記各ディスペンサのそれぞれの分注時間及び／又は速度を制御することを含む、請求項５に記載の方法。
【請求項１０】
前記蛍光体組成物の前記各部分は、実質的に純粋なシリコーンを更に含む、請求項４に記載の方法。
【請求項１１】
前記蛍光体組成物を分注することは、シリコーンディスペンサを利用して前記実質的に純粋なシリコーンを分注することを含む、請求項１０に記載の方法。
【請求項１２】
前記光の前記検出される特徴が、前記光の前記所望の特徴の所定の範囲内である場合、前記蛍光体組成物の分注を終了することを更に含む、請求項１０に記載の方法。
【請求項１３】
前記蛍光体組成物の所定の容量又は所定の重量のうちの一方が分注された場合、前記蛍光体組成物の分注を終了することを更に含む、請求項１２に記載の方法。
【請求項１４】
前記発光素子に電力を印加して、光を放出させることを更に含む、請求項１に記載の方法。
【請求項１５】
前記発光素子に印加する前記電力は、前記発光素子をパルス状態でテストするように適合される、請求項１４に記載の方法。
【請求項１６】
発光素子製造システム内で動作可能な装置であって、
蛍光体組成物を発光素子上に分注する手段と、
前記発光素子が発した光の特徴を検出する手段と、
前記蛍光体組成物の各部分の相対量を調整し、前記光の前記検出された特徴と前記光の所望の特徴との差を低減する、調整する手段と、
を備える、発光素子製造システム内で動作可能な装置。
【請求項１７】
前記光の前記所望の特徴は、相関色温度（ＣＣＴ）又は色空間内の１組の座標のうちの少なくとも一方を含む、請求項１６に記載の装置。
【請求項１８】
前記光の前記所望の特徴は、前記ＣＣＴ及び前記色空間内の前記１組の座標を含む、請求項１７に記載の装置。
【請求項１９】
前記蛍光体組成物の前記各部分は、シリコーン中に懸濁した各色の蛍光体を含む、請求項１６に記載の装置。
【請求項２０】
前記蛍光体組成物を分注する手段は、各カラー蛍光体を分注する各手段を利用して前記各色の蛍光体の各それぞれ１つを分注する手段を含む、請求項１９に記載の装置。
【請求項２１】
前記各色の蛍光体を分注する各手段のそれぞれは、噴射ディスペンサを含む、請求項２０に記載の装置。
【請求項２２】
前記各色の蛍光体を分注する各手段のそれぞれは、シリコーン中の各カラー蛍光体粉末の約３０重量％を超える懸濁液を分注するように適合される、請求項２０に記載の装置。
【請求項２３】
前記各カラー蛍光体を分注する各手段は、赤色蛍光体を分注する手段と、緑色蛍光体を分注する手段と、黄色蛍光体を分注する手段とを含む、請求項２０に記載の装置。
【請求項２４】
前記蛍光体組成物の前記各部分の相対量を調整する手段は、前記各色の蛍光体を分注する手段のそれぞれの分注時間及び／又は速度を制御する手段を含む、請求項２０に記載の装置。
【請求項２５】
前記蛍光体組成物の前記各部分は、実質的に純粋なシリコーンを更に含む、請求項１９に記載の装置。
【請求項２６】
前記蛍光体組成物を分注する手段は、前記実質的に純粋なシリコーンを分注する手段を含む、請求項２５に記載の装置。
【請求項２７】
前記光の前記検出される特徴が、前記光の前記所望の特徴の所定の範囲内である場合、前記蛍光体組成物の分注を終了する手段を更に備える、請求項２６に記載の手段。
【請求項２８】
前記蛍光体組成物の分注量が、所定の容量又は所定の重量のうちの少なくとも一方を満たすか、又は超える場合、前記蛍光体組成物の分注を終了する手段を更に備える、請求項２７に記載の装置。
【請求項２９】
前記発光素子に電力を印加して、光を放出させる手段を更に備える、請求項１６に記載の装置。
【請求項３０】
前記電力を前記発光素子に印加する手段は、前記発光素子をパルス状態でテストするように構成される、請求項２９に記載の装置。
【請求項３１】
蛍光体組成物を発光素子上に分注するシステムであって、
前記発光素子から発せられる光の特徴を検出する光センサと、
各カラー蛍光体を前記発光素子の表面上にそれぞれ分注する複数の蛍光体ディスペンサと、
を備え、
前記蛍光体ディスペンサは、前記発光素子から発せられる前記光の検出される特徴に応じて制御されるように適合される、システム。
【請求項３２】
前記蛍光体ディスペンサは、前記蛍光体組成物の前記各部分を分注しながら、前記各カラー蛍光体の比率を調整して、前記光の前記検出される特徴と前記光の所望の特徴との差を動的に低減するように更に構成される、請求項３１に記載のシステム。
【請求項３３】
前記蛍光体ディスペンサは、前記蛍光体組成物の前記各部分を分注しながら、分注時間及び／又は速度を動的に調整して、前記光の前記検出される特徴と前記光の前記所望の特徴との差を低減するように更に構成される、請求項３２に記載のシステム。
【請求項３４】
前記光の前記検出される特徴は、相関色温度（ＣＣＴ）又は色空間内の１組の座標のうちの少なくとも一方を含む、請求項３２に記載のシステム。
【請求項３５】
前記光の前記検出される特徴は、前記ＣＣＴ及び前記色空間内の前記１組の座標を含む、請求項３４に記載のシステム。
【請求項３６】
実質的に純粋なシリコーンを前記発光素子の前記表面上に分注するシリコーンディスペンサを更に備える、請求項３１に記載のシステム。
【請求項３７】
前記蛍光体ディスペンサ及び前記シリコーンディスペンサはそれぞれ、各蛍光体色又は実質的に純粋なシリコーンをそれぞれ噴射する噴射ヘッドを備える、請求項３６に記載のシステム。
【請求項３８】
前記蛍光体ディスペンサは、前記蛍光体組成物の分注量が、所定の目標量を満たすか、若しくは超えた場合、又は前記光の前記検出される特徴が、前記光の前記所望の特徴の所定の範囲内である場合、蛍光体及び実質的に純粋なシリコーンの分注を停止するように更に構成される、請求項３６に記載のシステム。
【請求項３９】
コンピュータにより実行されると、該コンピュータに発光素子を製造するプロセスを実行させるコンピュータプログラムを記憶するコンピュータ可読媒体であって、前記コンピュータプログラムは、
蛍光体組成物の一部分を前記発光素子上に分注するコードと、
前記発光素子が発した光の特徴を検出するコードと、
前記蛍光体組成物の各部分の相対量を調整して、前記光の前記検出された特徴と前記光の所望の特徴との差を低減するコードと、
を含む、コンピュータ可読媒体。
【請求項４０】
前記光の前記所望の特徴は、相関色温度（ＣＣＴ）又は色空間内の１組の座標のうちの少なくとも一方を含む、請求項３９に記載のコンピュータ可読媒体。
【請求項４１】
前記光の前記所望の特徴は、前記ＣＣＴ及び前記色空間内の前記１組の座標を含む、請求項４０に記載のコンピュータ可読媒体。
【請求項４２】
前記蛍光体組成物の各部分は、シリコーン中に懸濁した各色の蛍光体を含む、請求項３９に記載のコンピュータ可読媒体。
【請求項４３】
前記蛍光体組成物を分注するコードは、複数の蛍光体ディスペンサのそれぞれ１つを利用して前記各色の蛍光体の各それぞれ１つを分注するコードを含む、請求項４２に記載のコンピュータ可読媒体。
【請求項４４】
前記ディスペンサのそれぞれは、噴射ディスペンサを含む、請求項４３に記載のコンピュータ可読媒体。
【請求項４５】
前記ディスペンサのそれぞれは、シリコーン中の各カラー蛍光体粉末の約３０重量％を超える懸濁液を分注するように適合される、請求項４３に記載のコンピュータ可読媒体。
【請求項４６】
前記蛍光体ディスペンサは、赤色蛍光体ディスペンサと、緑色蛍光体ディスペンサと、黄色蛍光体ディスペンサとを含む、請求項４３に記載のコンピュータ可読媒体。
【請求項４７】
前記蛍光体組成物の前記各部分の相対量を調整するコードは、前記蛍光体ディスペンサのそれぞれの分注時間及び／又は速度を制御するコードを含む、請求項４３記載のコンピュータ可読媒体。
【請求項４８】
前記蛍光体組成物の前記各部分は、実質的に純粋なシリコーンを更に含む、請求項４２に記載のコンピュータ可読媒体。
【請求項４９】
前記蛍光体組成物を分注するコードは、前記実質的に純粋なシリコーンを分注するコードを含む、請求項４８に記載のコンピュータ可読媒体。
【請求項５０】
前記光の前記検出される特徴が、前記光の前記所望の特徴の所定の範囲内である場合、前記蛍光体組成物の分注を終了するコードを更に含む、請求項３９に記載のコンピュータ可読媒体。
【請求項５１】
前記蛍光体組成物の分注量が、所定の容量又は所定の重量のうちの少なくとも一方を満たすか、又は超える場合、前記蛍光体組成物の分注を終了するコードを更に含む、請求項５０に記載のコンピュータ可読媒体。
【請求項５２】
前記発光素子に電力を印加して、光を放出させるコードを更に含む、請求項３９に記載のコンピュータ可読媒体。
【請求項５３】
前記電力を前記発光素子に印加するコードは、前記発光素子をパルス状態でテストするコードを含む、請求項５２に記載のコンピュータ可読媒体。
【発明の詳細な説明】
【技術分野】
【０００１】
本開示は、発光素子の製造に関し、より詳細には、蛍光体層を有する広域スペクトル発光ダイオードの製造に関する。
【背景技術】
【０００２】
発光ダイオード（ＬＥＤ）等の固体素子は、白熱灯及び蛍光灯等の従来の光源に取って代わる魅力的な候補である。ＬＥＤは、白熱灯よりもはるかに高い光変換効率を有し、両種の従来の光源よりも長い寿命を有する。加えて、幾つかの種類のＬＥＤは現在、蛍光光源よりも高い変換効率を有し、更に高い変換効率が研究室で実証されている。最後に、ＬＥＤは、蛍光灯よりも低い電圧を必要とするため、様々な節電恩恵をもたらす。
【０００３】
不都合なことに、ＬＥＤは、比較的狭いスペクトルの光を生成する。従来の照明システムに取って代わるには、白色光を生成するＬＥＤに基づく光源が望ましい。白色光を生成する一方法は、青色ＬＥＤ又はＵＶ  ＬＥＤから発せられる単色光が広域スペクトル白色光に変換されるように、ＬＥＤ上に蛍光体材料を堆積させることである。蛍光体材料は、事前に規定された濃度で、又は事前に規定された製法で、蛍光体粉末をシリコーン等のポリマーに混合し、その結果、シリコーン中に蛍光体粒子を懸濁させることにより形成することができる。次に、この混合物は、事前に規定された容量及び／又は重量でＬＥＤ上に堆積され、続けて硬化処理を受ける。次に、結果として生成される蛍光体コーティングされたＬＥＤは、テストされ、実際にテストされた色に従って異なるカラービン内に配置される。蛍光体粒子をシリコーンキャリア中に懸濁させる様々なプロセスが、当技術分野において既知である。
【０００４】
これらのプロセスを使用すると、色の一貫性等の一貫した光学特性を達成することが難しい。多くの場合、蛍光体粒子をキャリア中に懸濁させるプロセスに起因して、多数のＬＥＤにわたって光の均一性を維持することは難しい。オペレータのエラーは、誤った混合に繋がり、ロット全体の色ずれ不具合が生じ得る。さらに、蛍光体混合物の粘度は、堆積中に変化することがあり、又は蛍光体懸濁液がポットライフで沈殿し、広範囲のカラービンが生じることがある。さらに、チップ波長、蛍光体プロファイル、基板反射性等の他の要因も、分注容量及び分注重量が一貫している場合であってもばらつきを生じさせる可能性がある。上記問題は一般に、リアルタイムで見つけることができないため、テスト中に発見される場合には、遅すぎて部品を修復することができず、廃棄しなければならない。製造プロセス自体は、多くの場合、多大な時間及びコストがかかり、完成するのに複数の製造ステップを必要とする。これらの問題は全て、広域スペクトルＬＥＤの製造コストの増大に繋がる。
【発明の概要】
【発明が解決しようとする課題】
【０００５】
したがって、ＬＥＤ及び他の固体照明素子に蛍光体材料を塗布する簡易化され改良されたプロセスが当技術分野において必要である。
【課題を解決するための手段】
【０００６】
様々な代表的な態様において、本開示は、蛍光体組成物を発光素子上に分注する方法を提供する。例示的な方法によれば、相関色温度（ＣＣＴ）及び／又は色空間（例えば、ＣＩＥ１９３１色空間）内の１組の座標等の光の期待される特徴並びに蛍光体組成物の期待される総分注量又は重量が、コントローラに入力される。第１の量の蛍光体組成物が、複数の噴射ヘッドを利用して発光素子の表面上に分注され、噴射ヘッドは、実質的に純粋なシリコーンを分注する実質的に純粋なシリコーン噴射ヘッドと、それぞれが各有色蛍光体を分注する複数の有色蛍光体噴射ヘッドとを含む。
【０００７】
第１の量の蛍光体組成物が分注された後、パルス電力が発光素子に印加され、発光素子を発光させ、次に、この光が光検出器を用いて検出される。検出された光の特徴は、期待される特徴と比較され、必要な場合には、純粋なシリコーンと、少なくとも１つの有色蛍光体の相対的な分注が調整されて、検出される特徴を期待される特徴に近づける。このプロセスは繰り返されて、光の検出される特徴が、光の所望の特徴の所定範囲内であり、かつ発光素子の表面上の蛍光体組成物の量が、期待される総分注量を満たすか、又はそれを超える場合、蛍光体組成物の分注が停止する。
【０００８】
幾つかの実施の形態では、蛍光体組成物を発光素子上に分注する方法が、該蛍光体組成物の部分を該発光素子上に分注することを含む。前記発光素子が発した光の特徴が検出され、前記蛍光体組成物の各部分の相対量が調整されて、前記光の前記検出された特徴と前記光の所望の特徴との差が低減される。
【０００９】
幾つかの実施の形態では、蛍光体組成物を発光素子上に分注するシステムが、該発光素子から発せられる光の特徴を検出する光センサと、各有色蛍光体及び純粋なシリコーンを前記発光素子の表面上に分注する複数の蛍光体ディスペンサと、を備える。前記蛍光体ディスペンサ、前記シリコーンディスペンサは、前記発光素子から発せられる前記光の検出される特徴に応じて制御されるように適合される。
【００１０】
幾つかの実施の形態では、コンピュータ可読媒体が、コンピュータにより実行されると、該コンピュータに発光素子を製造するプロセスを実行させるコンピュータプログラムを記憶する。該コンピュータプログラムは、前記蛍光体組成物の一部分を前記発光素子上に分注するコードと、前記発光素子が発した光の特徴を検出するコードと、前記蛍光体組成物の各部分の相対量を調整して、前記光の前記検出された特徴と前記光の所望の特徴との差を低減する、調整するコードと、を含む。
【００１１】
本発明のこれらの態様及び他の態様は、本開示を精査することでより完全に理解される。
【００１２】
添付図面は、本明細書とともに、本発明の例示的な実施形態を示し、説明とともに本発明の原理を説明する役割を果たす。
【図面の簡単な説明】
【００１３】
【図１】蛍光体組成物を発光素子上に分注するシステムを示すブロック図である。
【図２】蛍光体組成物を発光素子上に分注するプロセスを示すフローチャートである。
【図３】ＣＩＥ１９３１色空間による光の特徴を示すカラーチャートである。
【発明を実施するための形態】
【００１４】
図中の要素及びステップは、簡潔かつ明確にするために示され、必ずしも任意の特定の順序に従って表示されているわけではない。例えば、同時に実行可能又は異なる順序で実行可能なステップは、図中では、本発明の実施形態の理解向上を助けるために示される。
【００１５】
以下の詳細な説明では、本発明の特定の例示的な実施形態のみが、例示として示され説明される。当業者が認識するように、本発明は、多くの異なる形態で実施することができ、本明細書に記載の例に限定されるものとして解釈されるべきではない。また、本開示に関連して、要素が別の要素「上」にあるか、又は別の要素「上に」分注されるというとき、その或る要素は、別の要素の上に直接存在することもできるし、１つ又は複数の介在要素が或る要素と別の要素との間に配置された状態で別の要素の上に間接的に存在することもできる。
【００１６】
本発明の或る特定の態様について、機能ブロック構成要素及び様々な処理ステップによって本明細書に説明することができる。そのような機能ブロックは、指定された機能を実行し、様々な結果を達成するように構成された任意の数のハードウェア構成要素又はソフトウェア構成要素によって実現することができる。例えば、特定の計算を実行し、判断を行い、制御信号を提供するコントローラが説明される。そのようなコントローラは、ハードウェア及び／又はソフトウェアで実施することができ、説明される機能はコンピュータ可読媒体に具現することができ、コンピュータ可読媒体は、コンピュータにより実行されると、説明された機能をコンピュータに実行させるコンピュータプログラムを記憶する。
【００１７】
加えて、本発明は、発光素子に加えて任意の数の素子の製造と併せて実施することができ、説明されるシステムは、本発明の単に１つの例示的な適用形態である。
【００１８】
さらに、本発明は、制御点のプログラム、光の特徴の検知、組成物の特性の計算及び調整等を行う任意の数の従来の技法を利用することができる。
【００１９】
同様の参照番号は、本明細書全体を通して同様の要素を示す。
【００２０】
蛍光体組成物を有する発光素子を製造する従来のシステム及び方法は、広域スペクトル「白色」光の達成を目的として、所定の製法を利用して蛍光体粉末をシリコーン中に事前混合し、蛍光体組成物を生成することを含む。すなわち、典型的なＬＥＤは、比較的狭いスペクトルの光を生成する一方で、照明目的では、白色光が頻繁に望まれる。したがって、従来のプロセスは通常、組成物の蛍光体構成物質の特性の知識、ＬＥＤが発する放射のスペクトルの知識、及び発せられるスペクトルに影響し得る他の要因に基づいて、励起した蛍光体及びＬＥＤから発せられる光を相補的に加法混色して、白色光の知覚を生じさせることを目的として、蛍光体組成物の製法を事前に決定することを含む。次に、この蛍光体組成物は、所定の容量及び／又は重量でＬＥＤ上に堆積されて硬化され、次に、結果として生成される蛍光体コーティングされたＬＥＤがテストされる。個々の各ＬＥＤから測定されるスペクトルに基づいて、ＬＥＤは一般に、例えば、相関色温度（ＣＣＴ）及び／又はＣＩＥ色空間等の色空間内の１組の座標に基づいて素子を分けることで、様々なビン又はカテゴリに配置される。
【００２１】
これらの従来のプロセスを用いると、一貫した光学特性を達成することは難しい。多くの場合、蛍光体粒子をキャリア中に懸濁するプロセスにより、ＬＥＤにわたって光の均一性を維持することは難しい。オペレータのエラーは、誤った混合に繋がり、ロット全体の色ずれ不具合が生じ得る。さらに、蛍光体懸濁液がポットライフで沈殿し、又は蛍光体混合物の粘度が変化し、広範囲のカラービンが生じることがある。さらに、チップ波長、蛍光体プロファイル、基板反射性等の他の要因も、分注容量及び分注重量が一貫している場合であってもばらつきを生じさせることがある。上記問題は一般に、リアルタイムで見つけることができないため、テスト中に発見される場合には、遅すぎて部品を修復することができず、廃棄しなければならない。
【００２２】
本開示の一態様によるプロセスは、蛍光体の分注中にフィードバックを利用して、ＬＥＤ等の発光素子上に分注される蛍光体組成物の相対量を動的に制御することにより、複数のこれらの問題及び他の問題を回避する。
【００２３】
発光素子を製造する方法及びシステムは、生産システム１００とともに動作することができる。図１は、例示的な実施形態による生産システム１００を示し、生産システム１００は、コントローラ１１０と、ディスペンサ１２０と、センサ１３０と、電源１４０と、発光素子１５０とを含む。
【００２４】
コントローラ１１０は、マイクロプロセッサ若しくは他のコンピュータ、プログラマブルゲートアレイ、特定用途向け回路、又は計算機能、入力機能、及び出力機能と、記憶された命令を実行し、所定の動作を実行する能力を有する任意の他の種類のコントローラ等とすることができる。
【００２５】
センサ１３０は、相関色温度及び／又はカラーポイント（すなわち、色空間内の１組の座標）等の発光素子１５０が発する光の１つ又は複数の特徴を検出可能な光センサ又は他の測定センサとすることができる。例えば、センサ１３０は、電荷結合素子（ＣＣＤ）、色度計、又は当業者に既知の任意の他の適したセンサとすることができる。センサ１３０は、検知装置とコントローラ１１０との組み合わせを含むことができる。センサ１３０は、発光素子からセンサに光を誘導する光ファイバーガイドを含むことができる。センサ１３０は、光の１つ又は複数の特徴等の情報をコントローラ１１０の入力に送ることができる。
【００２６】
ディスペンサ１２０は、コントローラ１１０の出力に結合することができ、これにより、コントローラ１１０は信号をディスペンサ１２０に提供して、ディスペンサ１２０を制御する。ディスペンサは、様々な機能を実行することができる様々なシリコーンディスペンサ及び蛍光体ディスペンサ、例えば、サーマルジェット、圧電ジェット、連続ジェット、スクイーズチューブ、シリンジ等のうちの１つ又は複数を含むことができる。ディスペンサ１２０は、蛍光体の各色の液滴を発光素子の表面上に噴射する１つ又は複数の噴射ディスペンサを含むことができる。
【００２７】
例えば、例示的な実施形態では、ディスペンサ１２０は、黄色の蛍光体を分注する黄色噴射ディスペンサと、緑色の蛍光体を分注する緑色噴射ディスペンサと、赤色の蛍光体を分注する赤色噴射ディスペンサとを含む。更なる実施形態では、有色蛍光体を分注する噴射ディスペンサは、シリコーン等の実質的に透明な媒質中に懸濁した高濃度（例えば、３０重量％、約５０重量％、又は約８０％を超える懸濁液）の各カラー蛍光体粉末を噴射するように構成される。
【００２８】
ディスペンサ１２０は、実質的に透明又はクリアなシリコーンを発光素子の表面上に分注する実質的に純粋なシリコーンディスペンサ、例えば、シリコーン噴射ヘッドを、有色蛍光体ディスペンサと併せて更に含むことができる。ディスペンサ１２０は、後で分注するために、高濃度の蛍光体懸濁液及び透明なシリコーンを液体の形態で格納する複数のリザーバを更に含むことができる。
【００２９】
幾つかの実施形態では、各ディスペンサ又はディスペンサ１２０の各ヘッド（例えば、噴射ヘッド）は、純粋なシリコーン又は高濃度有色蛍光体の液滴を、個々に可変で制御可能な速度で、かつ／又は個々に可変で制御可能な時間量の間、それぞれ分注して、幾つかの色の蛍光体粉末と、純粋なシリコーンと、幾つかの実施形態では他の構成物質とを含む蛍光体組成物を与えるように構成される。噴射ヘッドは、１ナノリットル〜数百ミリリットルの範囲の容量の液滴を分注することができ、又は蛍光体組成物の各部分を連続ストリームで分注することができる。純粋なシリコーンの部分と、様々な色の高濃度蛍光体との分注は、時間的に互いにオフセットさせることができ、又は実質的に同じ時間とすることができる。さらに、各ディスペンサが実際に蛍光体組成物の各部分を発光素子の表面上に分注する精密な位置は、互いに同じ又は異なる位置とすることができる。
【００３０】
ディスペンサ１２０は、少なくとも部分的に真空内で蛍光体組成物を噴射するように構成することができる。このようにして、分注後に蛍光体組成物を脱ガスし、かつ／又は混合する必要性を低減し又はなくすことができる。
【００３１】
上述したようなシステムは、各色及びシリコーンがインサイチュに（ｉｎ  ｓｉｔｕ）、例えば、発光素子の表面上に分注される際に「混合」されるため、所定の比率の有色粉末蛍光体及びシリコーンで蛍光体組成物を混合する別個の処理ステップを減らすか又はなくす。したがって、混合される蛍光体組成物の構成要素の比率を、蛍光体組成物が分注される際に精密に制御し変更することができる。さらに、混合される蛍光体組成物の構成要素の比率は、ロットごとに異なることができ、又は素子ごとにさえも異なることができるが、上述したように、蛍光体組成物以外の他の要因が、結果として生成される光スペクトルに影響する可能性があるため、素子及びロットは、精密に制御された均一な色特徴を有することができる。
【００３２】
さらに、上記システムは、発光素子の表面を含む任意の表面上への様々な層又はパターンの蛍光体構造の作成を可能にする。
【００３３】
発光素子１５０又は発光素子１５０が配置されるプラットフォームは、加熱素子１５１を含むことができる。加熱素子１５１は、分注中、又は分注から少しして蛍光体組成物を硬化させ、シリコーン中に蛍光体粉末の懸濁が沈殿することに関連する問題を低減し又はなくすことができる。さらに、加熱素子は、例えば、組成物を加熱して粘度を低減し、組成物が発光素子１５０の表面上でより均一かつ／又は素早く流れることを可能にすることにより、蛍光体組成物の粘度を制御できるようにする。
【００３４】
電源１４０は、電力を発光素子１５０に供給することができる。コントローラ１１０は、電源１４０を制御する制御信号を提供することができ、又は電源１４０は、コントローラ１１０から独立して動作することができる。電源１４０は、電圧／電流を発光素子１５０に提供することができ、電圧／電流は、一定（ＤＣ）、交流（ＡＣ）、又はパルスである。電源１４０がパルス電力を提供する実施形態では、パルスの振幅、高ピーク電圧／電流及び／若しくは低ピーク電圧／電流、周期、周波数、並びに／又はデューティサイクルを制御することができる。さらに、発光素子１５０は、１つ又は複数の発光素子を含むことができ、電源１５０は、複数の発光素子のうちの１つ又は任意の数の発光素子に電力を提供することができる。発光素子１５０が複数の発光素子を含む実施形態では、電源１５０は、個々に制御可能な電力を複数の発光素子のうちの１つ又は複数（すなわち、最高で全てを含む任意のサブセット）に提供することができる。
【００３５】
図２は、蛍光体組成物を発光素子上に分注する例示的なプロセスを示すフローチャートである。プロセスは、回路部、ネットワークプロセッサ、フィードバックを用いるコンピュータ制御分注システム、又は何らかの他の適した手段により実行することができる。例えば、プロセスは、図１のシステムにより実行することができる。
【００３６】
これより図１及び図２を共に参照すると、ブロック２１０において、目標とする光特徴をシステムに入力することができる。目標とする光特徴の入力は、オペレータが、発光素子により発せられる光の１つ又は複数の所望の特徴を、コントローラ１１０に結合されたキーボード又はタッチスクリーンインタフェース等のユーザインタフェースに入力することより達成することができる。目標とする光特徴は、ＲＯＭ、磁気記憶装置、若しくはＥＥＰＲＯＭ等のメモリ又はＲＡＭ等の揮発性メモリに記憶することができる。目標とする光特徴の幾つかの例としては、相関色温度（ＣＣＴ）及び色座標（例えば、ＣＩＥ  ｘ及びＣＩＥ  ｙ等の色空間内の座標）が含まれる。システムに入力される目標とする単数又は複数の光特徴は、範囲を更に含むことができ、光の目標とする特徴を満たす際に或る特定の誤差の許容差を許す。
【００３７】
ブロック２２０において、分注比率を設定することができる。すなわち、ディスペンサ１２０は複数の分注ヘッドを含むことができ、そのうちの幾つかは有色蛍光体を分注するように適合することができる。例示的な実施形態では、３つの分注ヘッドが、赤色、黄色、又は緑色の蛍光体をそれぞれ分注するように適合され、赤色、黄色、又は緑色の蛍光体は、シリコーン等の媒質中に懸濁した高濃度（例えば、約３０％を超える）蛍光体粉末とすることができる。ここで、分注比率は異なる色の蛍光体の相対量に対応する。例えば、分注比率は２：２：１とすることができ、すなわち、赤色蛍光体２対黄色蛍光体２対緑色蛍光体１とすることができる。
【００３８】
分注比率は、シリコーン等の透明又はクリアな媒質を含むディスペンサ１２０内の第４の分注ヘッドからの蛍光体組成物の部分を更に含むことができる。すなわち、例示的な実施形態での分注比率は２：２：１：１とすることができ、すなわち、赤色蛍光体２対黄色蛍光体２対緑色蛍光体１対シリコーン１とすることができる。幾つかの実施形態では、分注比率は非常に細かい精度まで制御可能とすることができ、幾つかの実施形態では、離散した少数の分注比率を利用可能とすることができる。
【００３９】
他方、様々な例示的な実施形態によるプロセスは、ブロック２２０において、分注比率の初期設定を行わないようにすることができる。すなわち、更に詳細に後述する分注比率のフィードバック制御及び自動補正を含む実施形態では、分注比率の初期化の必要をなくすことができる。したがって、初期分注比率は、プロセスが実行される都度、同じ初期値とすることもできるし、システムが最後に利用した比率が何であれ、その最後に利用した比率とすることもできるし、幾つかの実施形態では、任意の値とすることもできる。
【００４０】
ブロック２３０において、目標とする蛍光体組成物の量を設定することができる。すなわち、システムに、ディスペンサ１２０が１つ又は複数の発光素子１５０に分注すべき蛍光体組成物の所定量（例えば、重量又は容量）を提供することができる。この目標量は、蛍光体組成物の分注をいつ終了させるかを判断する一基準として、後述するように、プロセスにおいて後に利用することができる。目標量は、工場で事前に設定することもできるし、オペレータがコントローラ１１０に手動で入力することもできるし、コントローラ１１０に結合された通信インタフェースからロードすることもできる。
【００４１】
後述するブロック２９０をスキップして、ブロック２４０において、ディスペンサ１２０は、蛍光体組成物の一部分を発光素子１５０に分注することができる。ブロック２４０の特定の反復において実際に分注される蛍光体組成物の量は、所定の量、例えば、所定の重量又は容量に制御又は制限することができる。ディスペンサ１２０は、発光素子１５０上に分注されている蛍光体組成物の温度ひいては粘度を制御する加熱器及び／又は冷却器を更に含むことができる。これにより、ステップ２４０において分注される量の制御を向上させることができる。
【００４２】
ブロック２４０は、発光素子１５０及び／又はディスペンサ１２０内の分注ヘッドの位置決め、蛍光体組成物の分注後又は分注後の或る時間期間を待った後に、加熱器１５１を利用することによる発光素子１５０の焼成及び／又は硬化を含むサブプロセスを更に含むことができる。加熱器１５１と、加熱サブプロセスとを含む様々な実施形態では、分注後の蛍光体液滴及び／又はシリコーン液滴の急速な硬化により、蛍光体の沈殿を低減し又はなくすことができ、したがって、蛍光体プロファイルの予測可能性及び一貫性が向上し、それにより、最終製品のばらつきを低減することができる。
【００４３】
ブロック２５０において、電力を発光素子１５０、例えば、ＬＥＤに印加することができる。例えば、直流電圧を２つの端子に印加して、ＬＥＤに正バイアスをかけ、その結果、ＬＥＤに通電してＬＥＤを発光させることができる。例えば、電力はパルス電力とすることができ、その場合、印加電圧は方形波の形態をとる。この場合、ＬＥＤから発せられる光は、パルス電力の振幅、位相、パルス幅、周波数、及びデューティサイクルに従ってちらつく。パルス電源を含む実施形態では、ＬＥＤを通して駆動される電流は、ＤＣ電流と比較して低減することができ、それに付随してＬＥＤの加熱が低減する。
【００４４】
ブロック２６０において、発光素子１５０から発せられる光を検出することができる。例えば、幾つかの実施形態では、センサ１３０が光を検知し、その光の少なくとも１つの特徴をコントローラ１１０に通信する。センサ１３０は、単数又は複数の発光素子の近傍にあるものとすることもできるし、センサは直近になくてもよく、光ガイド、例えば、１つ又は複数の光ファイバーガイドを利用して、光を単数又は複数の発光素子１５０からセンサ１３０に誘導することができる。上述したように、光の少なくとも１つの特徴は、相関色温度及び／又は色空間内の１組の座標を含むことができる。
【００４５】
ブロック２７０において、プロセスは、ブロック２６０において検出された光の少なくとも１つの特徴が、ステップ２１０において設定された目標とする特徴又はその付近であるか否かを判断することができる。すなわち、コントローラ１１０は、センサ１３０により求められた検出された特徴と、コントローラ１１０に入力された目標とする特徴との比較を実行することができる。この比較は、ハードウェア比較器、差動増幅器、又はソフトウェアを用いて実行することができる。さらに、比較に利用される目標は、ハード閾値を含むことができ、又は比較は、幾つかの要因に応じて加重することができ、要因は、既に分注された蛍光体組成物の量を含むが、これに限定されない。
【００４６】
検出された特徴が、目標とする特徴と不利に比較される場合、すなわち、光が目標からずれている場合又は検出された特徴と目標とする特徴との差が所定の閾値よりも大きい場合、プロセスはブロック２８０に分岐することができる。一方、検出された特徴が、目標とする特徴と有利に比較される場合、すなわち、光が目標通りである場合又は検出された特徴と目標とする特徴との差が所定の閾値未満である場合、プロセスはブロック２９０に分岐することができる。
【００４７】
ブロック２８０において、プロセスは分注比率を調整することができる。例えば、コントローラ１１０は、命令をディスペンサ１２０に送り、高濃度有色蛍光体懸濁液及び／又は透明シリコーンの相対量を調整して、発光素子から発せられる光の特徴を目標とする特徴に「より近づける」ことができる。
【００４８】
例えば、図３は、当業者に既知の国際照明委員会（ＣＩＥ）１９３１色空間の図である。この色空間は、１組の座標、すなわち、ＣＩＥ  ｘ座標及びＣＩＥ  ｙ座標による人間が知覚可能な色の全色域のプロットである。線３２０は、記された温度（すなわち、色温度）での黒体放射体の色座標を示す。例示的な実施形態では、光の目標とする特徴は、約３１００Ｋの相関色温度であり、又は別の実施形態では、ＣＩＥ  ｘ＝０．４±０．００１、ＣＩＥ  ｙ＝０．４±０．００１という１組の座標である。一例として、ブロック２６０において、検出された光がＣＩＥ  ｘ＝０．２、ＣＩＥ  ｙ＝０．１という１組の座標を含むと仮定する。ブロック２７０において、プロセスは、検出された光が目標からずれていると判断し、したがって、プロセスはブロック２８０に分岐し、分注比率が調整される。すなわち、赤色、緑色、及び黄色の蛍光体並びに透明シリコーンの相対量が調整されて、色座標を目標座標に近づける。
【００４９】
例示的な実施形態では、分注比率の調整は、色温度線３２０に関連する検出された特徴の位置に従って調整を行うことができる。例えば、検出された特徴が色温度線３２０よりも下である場合、調整は、緑色蛍光体の割合の増大を含むことができる。検出された特徴が色温度線３２０よりも上である場合、調整は、赤色蛍光体の割合の増大を含むことができる。同様に、黄色蛍光体の割合の増大は、光の特徴を色温度線に沿って、色温度を低減する方向に移動させることができる。
【００５０】
ブロック２７０において、プロセスにより、光が十分に目標通りであると判断される場合、プロセスはブロック２９０に分岐することができる。ブロック２９０において、プロセスは、発光素子上に分注される蛍光体組成物の総量が、ブロック２３０において設定された目標量を満たすか、又は目標量を超えるか否かを判断することができる。様々な実施形態では、この判断は、コントローラ１１０、ディスペンサ１２０、又は発光素子１５０に結合された別の装置により行うことができる。様々な実施形態が、分注量が目標量に等しい（＝）、目標よりも大きい（＞）、若しくは目標量以上（≧）であることに基づいて、又は分注量と目標量との何れかの他の適した関係に基づいて判断可能であることに留意する。目標量に達した場合、プロセスは終了することができる。そうでない場合、プロセスはブロック２４０に分岐し、蛍光体の分注、光の特徴の測定、及び場合によっては分注比率の調整を含む別の反復を行うことができる。
【００５１】
図２に示されるプロセスが、本開示の範囲内のプロセスの単なる一例であり、意図される範囲から逸脱せずに、変形及び修正を行うことができることを当業者は理解するであろう。例えば、別のプロセスは、ブロック２８０の後又はプロセス内の任意の他の中間ステップにおいて、蛍光体化合物の総量が目標量を満たし、かつ／又は超えるか否かを判断する別のステップを追加することができる。
【００５２】
さらに、ステップの説明される順序又はシーケンスは、必ずしも唯一の可能な実施態様であるわけではない。例えば、幾つかの態様では、発光素子への給電及び光の特徴の検出は、発光素子上への蛍光体化合物の分注と同時に連続して実行される。或る特定の態様では、給電及び光の特徴の検出は連続して行われず、いかなる特定のシーケンスでも行われず、定期的に、例えば、１００ｍｓ〜１分ごとに行われ、その間、蛍光体化合物は発光素子に分注されるが、他のプロセスステップのタイミングとは独立して分注される。
【００５３】
上記説明によるプロセスを利用することにより、蛍光体がコーティングされた発光素子が発する光の特徴をより精密に制御し、多数の素子が発する光のカラーポイント又は他の特徴が低いばらつきを有することを保証し、したがって、廃棄の必要性を低減し又はなくし、生産歩留まりを向上させることができる。さらに、蛍光体組成物を事前に混合する必要を低減し又はなくし、生産コストを低減することができる。
【００５４】
上記明細書において、本発明について幾つかの例示的な実施形態を参照して説明した。しかし、特許請求の範囲に記載の本発明及びその均等物の範囲から逸脱せずに、様々な修正及び変更を行うことができる。本明細書及び図は、限定よりはむしろ例示であり、修正は、本発明の範囲内に含まれることが意図される。したがって、本発明の範囲は、説明された単なる例よりもむしろ、特許請求の範囲及びその法的均等物によって決定されるべきである。
【００５５】
例えば、任意の方法クレーム又はプロセスクレームで列挙されるステップは、任意の順序で実行することができ、特許請求の範囲に列挙される特定の順序に限定されない。さらに、任意の装置クレームに列挙される構成要素及び／又は要素は、様々な並べ替えで組み立て、又は他の様式で動作的に構成することができ、したがって、特許請求の範囲内に列挙される特定の構成に限定されない。
【００５６】
利益、他の利点、及び問題への解法は、特定の実施形態に関連して上述されているが、任意の利益、利点、問題への解法、又は任意の特定の利益、利点、解法を生じさせるか、若しくはよりはっきりさせることができる任意の要素は、任意又は全てのクレームの極めて重要な、必要な、又は必須の特徴又は構成要素として解釈すべきではない。
【００５７】
本明細書に使用される場合、用語「備える」、「備えた」、「備えている」、「有している」、「含んでいる」、「含む」、又はこれらの任意の変形は、非排他的な包含をいうように意図され、したがって、要素を列挙したものを備えたプロセス、方法、物品、組成物、又は装置は、列挙された要素のみを含むのではなく、明示的に列挙されていない、又はそのようなプロセス、方法、物品、組成物、若しくは装置に固有ではない他の要素を含むこともできる。本発明の実施に使用される上述した構造、構成、適用例、特性、要素、材料、又は構成要素の他の組み合わせ及び／又は修正は、特に列挙されないものに加えて、本発明の一般原理から逸脱せずに変更が可能であり、又は特定の環境、製造仕様、設計パラメーター、又は他の動作要件に特に適合させることができる。
【００５８】
上記説明は、当業者が本開示の全範囲を十分に理解可能にするために提供される。本明細書に開示された様々な構成への修正は、当業者に容易に明らかであろう。したがって、特許請求の範囲は、本明細書に記載される開示の様々な態様に限定されることを意図されず、特許請求の範囲の用語と一致した全範囲によるべきであり、単数形での要素の参照は、唯一であると記載される場合以外、「唯一」を意味することを意図されず、むしろ「１つ又は複数」を意味する。別記される場合を除き、用語「幾つか」は１つ又は複数を指す。要素の組み合わせの少なくとも１つ（例えば、「Ａ、Ｂ、又はＣのうちの少なくとも１つ」）を列挙するクレームは、列挙された要素のうちの１つ又は複数（例えば、Ａ、又はＢ、又はＣ、又はこれらの任意の組み合わせ）を指す。当業者に知られているか又は後に知られることになる、本開示全体を通して説明された種々の態様の要素と構造的又は機能的に均等な全てのものは、参照により本明細書に明白に援用され、特許請求の範囲によって包含されるように意図されている。さらに、そのような開示が特許請求の範囲において明示的に列挙されるか否かにかかわらず、本明細書において開示される事項はいずれも一般公衆に解放されるように意図されていない。クレームの要素が「〜の手段」という言い回しを用いて明示的に列挙されない限り、又は方法のクレームの場合には、その要素が「〜のステップ」という言い回しを用いて列挙されない限り、その要素は、米国特許法第１１２条第６項の規定の下で解釈されるべきではない。
【図１】
2013512586.tif 000003
【図２】
2013512586.tif 000004
【図３】
2013512586.tif 000005
【手続補正書】
【提出日】平成23年8月12日(2011.8.12)
【手続補正１】
【補正対象書類名】特許請求の範囲
【補正対象項目名】全文
【補正方法】変更
【補正の内容】
【特許請求の範囲】
【請求項１】
蛍光体組成物の複数の部分を発光素子上に分注する方法であって、
前記蛍光体組成物の第１の部分を前記発光素子上にインサイチュに分注することと、
前記発光素子が発した光の特徴をインサイチュに検出することと、
前記蛍光体組成物の追加的な各部分の分注の相対量をインサイチュに調整することであって、前記光の前記検出された特徴と前記光の所望の特徴との差を低減する、調整することと、
を含む、蛍光体組成物を発光素子上に分注する方法。
【請求項２】
前記光の前記所望の特徴は、相関色温度（ＣＣＴ）又は色空間内の１組の座標のうちの少なくとも一方を含む、請求項１に記載の方法。
【請求項３】
前記光の前記所望の特徴は、前記ＣＣＴ及び前記色空間内の前記１組の座標を含む、請求項２に記載の方法。
【請求項４】
前記蛍光体組成物の前記各部分は、シリコーン中に懸濁した各色の蛍光体を含む、請求項１に記載の方法。
【請求項５】
前記蛍光体組成物を分注することは、複数のディスペンサのそれぞれ１つを利用して前記各色の蛍光体の各それぞれ１つを分注することを含む、請求項４に記載の方法。
【請求項６】
前記複数のディスペンサのそれぞれは、噴射ディスペンサを含む、請求項５に記載の方法。
【請求項７】
前記複数のディスペンサのそれぞれは、シリコーン中の各カラー蛍光体粉末の約３０重量％を超える懸濁液を分注するように適合される、請求項５に記載の方法。
【請求項８】
前記複数のディスペンサは、赤色蛍光体ディスペンサと、緑色蛍光体ディスペンサと、黄色蛍光体ディスペンサとを含む、請求項５に記載の方法。
【請求項９】
前記蛍光体組成物の前記各部分の相対量を調整することは、前記各ディスペンサのそれぞれの分注時間及び／又は速度を制御することを含む、請求項５に記載の方法。
【請求項１０】
前記蛍光体組成物の前記各部分は、実質的に純粋なシリコーンを更に含む、請求項４に記載の方法。
【請求項１１】
前記蛍光体組成物を分注することは、シリコーンディスペンサを利用して前記実質的に純粋なシリコーンを分注することを含む、請求項１０に記載の方法。
【請求項１２】
前記光の前記検出される特徴が、前記光の前記所望の特徴の所定の範囲内である場合、前記蛍光体組成物の分注を終了することを更に含む、請求項１０に記載の方法。
【請求項１３】
前記蛍光体組成物の所定の容量又は所定の重量のうちの一方が分注された場合、前記蛍光体組成物の分注を終了することを更に含む、請求項１２に記載の方法。
【請求項１４】
前記発光素子に電力を印加して、光を放出させることを更に含む、請求項１に記載の方法。
【請求項１５】
前記発光素子に印加する前記電力は、前記発光素子をパルス状態でテストするように適合される、請求項１４に記載の方法。
【請求項１６】
発光素子製造システム内で動作可能な装置であって、
蛍光体組成物の複数の部分を発光素子上にインサイチュに分注する手段と、
前記発光素子が発した光の特徴をインサイチュに検出する手段と、
前記蛍光体組成物の前記各部分の分注の相対量をインサイチュに調整し、前記光の前記検出された特徴と前記光の所望の特徴との差を低減する、調整する手段と、
を備える、発光素子製造システム内で動作可能な装置。
【請求項１７】
前記光の前記所望の特徴は、相関色温度（ＣＣＴ）又は色空間内の１組の座標のうちの少なくとも一方を含む、請求項１６に記載の装置。
【請求項１８】
前記光の前記所望の特徴は、前記ＣＣＴ及び前記色空間内の前記１組の座標を含む、請求項１７に記載の装置。
【請求項１９】
前記蛍光体組成物の前記各部分は、シリコーン中に懸濁した各色の蛍光体を含む、請求項１６に記載の装置。
【請求項２０】
前記蛍光体組成物を分注する手段は、各カラー蛍光体を分注する各手段を利用して前記各色の蛍光体の各それぞれ１つを分注する手段を含む、請求項１９に記載の装置。
【請求項２１】
前記各色の蛍光体を分注する各手段のそれぞれは、噴射ディスペンサを含む、請求項２０に記載の装置。
【請求項２２】
前記各色の蛍光体を分注する各手段のそれぞれは、シリコーン中の各カラー蛍光体粉末の約３０重量％を超える懸濁液を分注するように適合される、請求項２０に記載の装置。
【請求項２３】
前記各カラー蛍光体を分注する各手段は、赤色蛍光体を分注する手段と、緑色蛍光体を分注する手段と、黄色蛍光体を分注する手段とを含む、請求項２０に記載の装置。
【請求項２４】
前記蛍光体組成物の前記各部分の相対量を調整する手段は、前記各色の蛍光体を分注する手段のそれぞれの分注時間及び／又は速度を制御する手段を含む、請求項２０に記載の装置。
【請求項２５】
前記蛍光体組成物の前記各部分は、実質的に純粋なシリコーンを更に含む、請求項１９に記載の装置。
【請求項２６】
前記蛍光体組成物を分注する手段は、前記実質的に純粋なシリコーンを分注する手段を含む、請求項２５に記載の装置。
【請求項２７】
前記光の前記検出される特徴が、前記光の前記所望の特徴の所定の範囲内である場合、前記蛍光体組成物の分注を終了する手段を更に備える、請求項２６に記載の手段。
【請求項２８】
前記蛍光体組成物の分注量が、所定の容量又は所定の重量のうちの少なくとも一方を満たすか、又は超える場合、前記蛍光体組成物の分注を終了する手段を更に備える、請求項２７に記載の装置。
【請求項２９】
前記発光素子に電力を印加して、光を放出させる手段を更に備える、請求項１６に記載の装置。
【請求項３０】
前記電力を前記発光素子に印加する手段は、前記発光素子をパルス状態でテストするように構成される、請求項２９に記載の装置。
【請求項３１】
蛍光体組成物を発光素子上に分注するシステムであって、
前記発光素子から発せられる光の特徴をインサイチュに検出する光センサと、
各カラー蛍光体を前記発光素子の表面上にそれぞれインサイチュに分注する複数の蛍光体ディスペンサと、
を備え、
前記蛍光体ディスペンサは、前記発光素子から発せられる前記光の検出される特徴に応じてインサイチュに制御されるように適合される、システム。
【請求項３２】
前記蛍光体ディスペンサは、前記蛍光体組成物の前記各部分を分注しながら、前記各カラー蛍光体の比率を調整して、前記光の前記検出される特徴と前記光の所望の特徴との差を動的に低減するように更に構成される、請求項３１に記載のシステム。
【請求項３３】
前記蛍光体ディスペンサは、前記蛍光体組成物の前記各部分を分注しながら、分注時間及び／又は速度を動的に調整して、前記光の前記検出される特徴と前記光の前記所望の特徴との差を低減するように更に構成される、請求項３２に記載のシステム。
【請求項３４】
前記光の前記検出される特徴は、相関色温度（ＣＣＴ）又は色空間内の１組の座標のうちの少なくとも一方を含む、請求項３２に記載のシステム。
【請求項３５】
前記光の前記検出される特徴は、前記ＣＣＴ及び前記色空間内の前記１組の座標を含む、請求項３４に記載のシステム。
【請求項３６】
実質的に純粋なシリコーンを前記発光素子の前記表面上に分注するシリコーンディスペンサを更に備える、請求項３１に記載のシステム。
【請求項３７】
前記蛍光体ディスペンサ及び前記シリコーンディスペンサはそれぞれ、各蛍光体色又は実質的に純粋なシリコーンをそれぞれ噴射する噴射ヘッドを備える、請求項３６に記載のシステム。
【請求項３８】
前記蛍光体ディスペンサは、前記蛍光体組成物の分注量が、所定の目標量を満たすか、若しくは超えた場合、又は前記光の前記検出される特徴が、前記光の前記所望の特徴の所定の範囲内である場合、蛍光体及び実質的に純粋なシリコーンの分注を停止するように更に構成される、請求項３６に記載のシステム。
【請求項３９】
コンピュータにより実行されると、該コンピュータに発光素子を製造するプロセスを制御させるコンピュータプログラムを記憶するコンピュータ可読媒体であって、前記コンピュータプログラムは、
蛍光体組成物の一部分を前記発光素子上にインサイチュに分注するコードと、
前記発光素子が発した光の特徴をインサイチュに検出するコードと、
前記蛍光体組成物の追加的な各部分の分注の相対量をインサイチュに調整して、前記光の前記検出された特徴と前記光の所望の特徴との差を低減するコードと、
を含む、コンピュータ可読媒体。
【請求項４０】
前記光の前記所望の特徴は、相関色温度（ＣＣＴ）又は色空間内の１組の座標のうちの少なくとも一方を含む、請求項３９に記載のコンピュータ可読媒体。
【請求項４１】
前記光の前記所望の特徴は、前記ＣＣＴ及び前記色空間内の前記１組の座標を含む、請求項４０に記載のコンピュータ可読媒体。
【請求項４２】
前記蛍光体組成物の各部分は、シリコーン中に懸濁した各色の蛍光体を含む、請求項３９に記載のコンピュータ可読媒体。
【請求項４３】
前記蛍光体組成物を分注するコードは、複数の蛍光体ディスペンサのそれぞれ１つを利用して前記各色の蛍光体の各それぞれ１つを分注するコードを含む、請求項４２に記載のコンピュータ可読媒体。
【請求項４４】
前記ディスペンサのそれぞれは、噴射ディスペンサを含む、請求項４３に記載のコンピュータ可読媒体。
【請求項４５】
前記ディスペンサのそれぞれは、シリコーン中の各カラー蛍光体粉末の約３０重量％を超える懸濁液を分注するように適合される、請求項４３に記載のコンピュータ可読媒体。
【請求項４６】
前記蛍光体ディスペンサは、赤色蛍光体ディスペンサと、緑色蛍光体ディスペンサと、黄色蛍光体ディスペンサとを含む、請求項４３に記載のコンピュータ可読媒体。
【請求項４７】
前記蛍光体組成物の前記各部分の相対量を調整するコードは、前記蛍光体ディスペンサのそれぞれの分注時間及び／又は速度を制御するコードを含む、請求項４３記載のコンピュータ可読媒体。
【請求項４８】
前記蛍光体組成物の前記各部分は、実質的に純粋なシリコーンを更に含む、請求項４２に記載のコンピュータ可読媒体。
【請求項４９】
前記蛍光体組成物を分注するコードは、前記実質的に純粋なシリコーンを分注するコードを含む、請求項４８に記載のコンピュータ可読媒体。
【請求項５０】
前記光の前記検出される特徴が、前記光の前記所望の特徴の所定の範囲内である場合、前記蛍光体組成物の分注を終了するコードを更に含む、請求項３９に記載のコンピュータ可読媒体。
【請求項５１】
前記蛍光体組成物の分注量が、所定の容量又は所定の重量のうちの少なくとも一方を満たすか、又は超える場合、前記蛍光体組成物の分注を終了するコードを更に含む、請求項５０に記載のコンピュータ可読媒体。
【請求項５２】
前記発光素子に電力を印加して、光を放出させるコードを更に含む、請求項３９に記載のコンピュータ可読媒体。
【請求項５３】
前記電力を前記発光素子に印加するコードは、前記発光素子をパルス状態でテストするコードを含む、請求項５２に記載のコンピュータ可読媒体。
【国際調査報告】
2013512586.tif 000006